(57)【要約】      （修正有）【課題】投げ釣り、ウキ釣りで、仕掛けを絡ませない様にして、安定して飛行しその距離を延ばす事が出来る仕掛けを提供する。【解決手段】オモリ１１やウキ１２の本体の側面に、平行してスライド腕６を設け、この両端を折り返して前端１と後端４を形成した後、その端を本体の前端１と後端４に固着し、スライド腕６には、元環１３で着合し前端１と後端４の間を移動可能な移動子１５を設けて、この移動子１５には道糸環１０とその端に掛合穴が設けられていて、投入時には、道糸環１０に結んだ道糸７により吊り下げた状態で、スライド腕６の前端１が前方に引かれて加速される。道糸７を離すと、移動子１５は後端４に移動して、道糸７を引く状態に変わり飛行する、この間、本体や仕掛け全体は反転や動揺が無く、進行方向に向いて安定して飛行する様にしたものである。【選択図】図５
0003216110.tif 000002
【実用新案登録請求の範囲】
【請求項１】
ウキや天秤・オモリの本体の片側に平行して延びて、其の両端を折り返して先端１と後端４を形成した後、その端を本体の前後の端に着合したスライド腕６を設け、このスライド腕６に元環１３で着合して、先端１と後端４の間を移動出来て、その端に道糸環１０を設けた移動子１５を設け、移動子１５が、投入加速時に先端１にて本体を引航した後、後端４に移動し道糸を引航し、本体を単体で、或いは、本体の先に設けた掛端に１９に、副本体の前方に設けた掛合穴２０を掛けて、並設した複数の本体を、反転や動揺が無く、進行方向に安定して飛行する様にした仕掛け。
【請求項２】
オモリ２を扁平に設け、その裏面に平行したスライド腕６を設け、天秤枝８をオモリ２に対して直立して設け、オモリ２全体を水平翼２４とし天秤を直立翼２５とし、飛行時に空気に浮く効果を持たせ、着水後も進行し、海底時に直立する様にした、［請求項１］の仕掛け。
【請求項３】
ウキ本体に翼２４を付け、尾部に垂立翼３１を設け、投入時に空中で滑空して飛行する様にした請求項１の仕掛け。
【請求項４】
移動子１５の元環１３が着合したスライド腕６の両端に、先に前輪４０を、後に後輪４１を形成して折り返して、前戻り端４６と後戻り端４７を設け、その両端を重ねて固定する着脱出来る固定リング２６を設け、後戻り端４７の端で、固定リング２６に固定される部分の先を直曲して伸ばして、先端に先環９をつけた天秤枝８を設け、固定リング２６を外した時、前戻り端４６に部品を着脱出来る様に構成した請求項１・２・３・の仕掛け。
【請求項５】
スライド腕６の前後の端に、前輪４０と後輪４１を設け、前輪４０近くに、部品の先端の環を着合する掛合環５４を設け、後輪４１の先に引端４２を設けてこれに螺旋部３９で着合する着合環４３を設けて、螺旋部３９を前後にスライドさせて、掛合環５４着合した部品の端４４を固定して、部品を着脱し交換出来る様にした、請求項１・２・３・４の仕掛け。
【請求項６】
主部品の前部位に、前方に延びる掛端１９を設け、これに掛ける掛合穴２０を副部品の先端部に設け、掛端１９に掛合穴２０を掛けて、複数の部品を並設して一緒に投入出来る様にした、請求項１・２・３・４・５・の仕掛け
【請求項７】
コマセカゴの開口部の縁に、複数の切れ込み２３と長ナツト５６を、底部の外側にカゴ環５０を設け、ネジ部品３５で、引き通しオモリの穴とカゴの蓋の穴と天秤枝の基部の穴を通して、長ナツトに着合し、この着合した部品の隙間を開閉して、カゴの蓋の開閉量を調節出来る様にし、ネジ部品の頭部のネジ環３３に元環１３で着合する掛穴部品Ａ５３の端に掛合穴２０を設け、これをウキ１２の先端に設けた掛端１９に掛けて、並設して一緒に投入出来る様にした、請求項１・５・の仕掛け
【考案の詳細な説明】
【技術分野】
【０００１】  投げ釣り、ウキ釣りで、仕掛けを絡ませない様にして、飛距離を延ばし、安定して投入する為のウキや天秤・オモリ・等の仕掛け部品に係わるものである。
【背景技実】
【０００２】  投げ釣り於いても、ウキ釣りに於いても、竿を振り込み加速した後、道糸７離すと、オモリや天秤は向きを１８０度変え、ウキも大きく動揺した後、飛行状態に移行する、その間に反転や、かく乱が起り、仕掛けの絡みが起る原因となる、天秤等を使用して防止策を講じているが、仕掛けの動揺や乱は常に起きている、又、この間に空気の抵抗を受け飛行距離を減じている現状にある。
【考案の効果】
【０００３】  仕掛け部品本体の片側に平行したスライド腕６を設け、其の前端１と後端４の間を移動出来る移動子１５が着合して、その道糸環１０に結ばれた道糸７で、仕掛けの投入の加速時に、移動子１５がスライド腕６の先端１において、部品本体を前方に引きつつ進行し、道糸を離した直後に、後端４に移動し、道糸を引きつつ飛行する状態に変り、仕掛けが前方に安定して飛行するもので、加速時直後の反転運動が起らない事により、仕掛け全体が投入・飛行・沈降時に乱れや、かく乱が無くなり、絡みの発生を防止する効果が得られる、と同時に、この間の空気の抵抗が少なく、安定して飛行しその距離を延ばす事が出来る。
【０００４】  ウキ１２に付いては、
空気抵抗を最小にする事が出来、又、本体に翼２４を付けて滑空機能を持せて、飛距離を延ばす事が出来る。或いは、主部品として先端部に前向きに突出した掛端１９を設け、これに副部品の先に設けた掛合穴２０を掛て、並設した状態で一緒に投入する事ができる。
オモリ２に於いても、前後方向に細長くして、空気の抵抗を最小に形成して、飛距離を延ばす事が出来、又は、全体を扁平にてし、海底に着底して海流に流されるのを防ぐ、或いは、オモリ２全体を扁平にて、天秤を垂直翼として、飛行時に空気に浮く効果を持たせ、着水後も進行して、飛距離を延ばす効果が得られる、と同時に、海底時に於いて天秤を直立した状態で着底させて引く事が出来、仕掛けを浮かせて、魚の餌付きを良くする効果を得られる。
【０００５】  コマセカゴ２は副部品として、先きに設けた掛合穴２０を、主部品の掛端１９に掛けて、一緒に投入する事が出来き、この時、カゴの口を飛ぶ方向に向けて飛行させる事で、口を塞ぐ蓋２２を設ける事により、飛行時も沈降時も蓋２２が押さえられていて、コマセの沈降時のロスを無くし、エサの付いたハリスを内蔵する事により、着水時のショツクでの餌落ちを無くす効果を得る事が出来る。
【図面の簡単な説明】
【０００６】
【図１】［第１図］第１例でオモリの正面図
【図２】［第２図］は第２例で、天秤が直立するオモリの正面図
【図３】［第３図］は第２例の平面図
【図４】［第４図］は第２例の断面図
【図５】［第５図］は第３例で、ウキの飛行状態の正面図
【図６】［第６図］は移動子Ｂ１５の正・測面図
【図７】［第７図］は第４例で、ウキ本体に翼を付けた平面図
【図８】［第８図］は第４例の正面図
【図９】［第９図］は第５例で、部品を交換出来るスライド腕の正面図
【図１０】［第１０図］は第６例で、ウキに付ける並設専用のオモリ付き天秤の正面図
【図１１】［第１１図］は第７例で、ウキに並設専用のコマセカゴを付けた飛行状態の正面図
【図１２】［第１２図］は掛穴部品Ｂの正、側面図
【考案を実施するための形態】
【０００７】  オモリや天秤・ウキ・の部品本体の片側に平行して、その両端を折り返して先端１と後端４を形成した後、その両端を本体に固着したスライド腕６を設け、スライド腕６に元環１３で着合して先端１と後端４の間を移動出来る移動子１５を設けて、移動子１５の道糸環１０に道糸が結ばれて、仕掛けを投入すると、加速時には移動子１５が先環１に掛かり、本体を前方に引きつつ進行し、道糸を離した直後に移動子１５が後端４に移動して、道糸７を引く状態に変る。この間、オモリやウキ・天秤・等は反転や動揺する事無なく、前方へ安定して飛行するので、オモリ２は細長くして、空気抵抗を少なくし、飛距離を延ばす事、又、オモリ２を扁平にして着底させ、潮流に流されない様にする事、或いは、オモリを翼状に広げ、天秤枝８を直立して設け、投入時に空中で滑空する効果を持たせ、同時に海中においても進行し、海底では天秤が直立して着底して、直立したまま仕掛けを引く事が出来るものである。
【０００８】  ウキは長手方向に飛行して空気抵抗を最小限に出来、主部品として本体に前方向きで、本体の芯とスライド腕を含む面方向に扁平な掛端１９が設けられ、これに副部品の先端部、又は、その移動子１５又は、掛穴部品Ａ５３の先端に設けた細長い掛合穴２０を掛けて、複数の部品を列設した状態で投入する事が出来る、副部品のカゴ等の掛合穴２０を長穴に形成する事により、掛端１９に掛けた時に回転せずに、スライド腕６の反対側に並列した状態（第１１図）に保持さて飛行する、着水後にカゴは離脱して沈み、仕掛はウキ止めがウキの道糸環２４に掛かるまで沈降して止まりタナに保持され、天秤枝８が下降してカゴの蓋２２が開きコマセが散る。
【０００９】  スライド腕６の前端１の近くに、部品を掛ける為の掛合環５４を設けて、オモリ又はウキ、コマセカゴ等全部に付いた環を着脱する様にし、一方、後輪４１の後戻り部の引端４２に、螺旋部３９で着合し前後に可動な着合環４３を設けて、部品の反対測を固定できるもので、必要に応じて市販品も交換し着脱して使用する事も出来る
【００１０】  遊動式に使用する場合は、道糸を移動子１５の道糸環７に通した後サルカン５に結び、その先にハリスを結ぶ、道糸７はサルカンと共に、天秤の先環を通りぬけて、ウキ止めが移動子１５の道糸環１５に掛かる迄で沈み、タナに維持される。
【実施例】
【００１１】  第１図は第１例を示すもので、オモリに平行したスライド腕６を設け、この両端を折り返して前端１、後端４を形成した後その端をオモリに固着し、スライド腕６に元環１３で着合し、前端１と後端４の間を自在に移動出来る移動子１５（サルカンを代用）を設け、仕掛けの投入加速時には、道糸環１０に結ばれた道糸７に引かれて、移動子１５がスライド腕６の前端１を引きつつ進行し、道糸を離した時点で、移動子１５が後端４に移動し、道糸７を引く状態に変り、この時、オモリは反転する事が無く、進行方向に仕掛けの動揺や乱が無く、安定して飛行するもので、天秤の長さは通常より短くても、絡みを防止する事が出来る。【００１２】  第２図・第３図・第４図は第２例を示すもので、オモリ２全体を扁平にして、下面に前後方向の裏溝１７内にスライド腕６を設け、これに移動子１５を着設したもので、オモリ２の上面方向に直立して天秤枝８を固定して、飛行時に天秤を垂直翼とし、オモリ２全体を水平翼として、空気に浮く効果を持たせ、着水後もなお進行して、投入距離を延ばし、海底に着底した後は、天秤が直立した状態で海底を引く事が出来るもので、サルカンを移動子１５として代用して使用したものである。【００１３】  第５図は第３例で、ウキ１２にスライド腕６を付けたもので、これに移動子１５が着設し、前方にウキのオモり１１を固着して立ウキともので、投入して加速時には図の状態で進行し、飛行時は、移動子１５だけが後端４に移動し、道糸７を引きつつ矢印方向に進行する、海面に着水すると、ウキは立ウキ成り、天秤は矢印方向に回動して海底を向き、移動子１５は再び前端１に移動しウキが安定し、道糸７が天秤の先環９を通過して延び、ハリスはウキドメが道糸環１０に掛かる迄沈み、タナに保たれるもので、ウキの軸方向と飛空方行が同一線上に成り、空気の抵抗が最小で、安定して飛距離が伸びるものである。【００１４】  第７図・第８図は第４例で、ウキ本体に翼２４Ａ・２４Ｂを、止軸２８で固定して設けたもので、投入すると図の状態で、移動子１５が道糸に引かれて矢印方向に飛行し、空中で滑空して大きく飛行距離を延ばす事が出来る。翼２４Ａ・２４Ｂと天秤枝８は着水すると、下方に向く様に着合されていて、ウキは立ウキとなり、アタリに対して抵抗なく敏感に上下動するもので、引き上げる時も抵抗が軽減されるものである。天秤枝８はリングＡ３０を外して本体から天秤枝８を外すと、掛端１９に他の副部品の掛合穴２０を掛けて、並設して一緒に投げ込む事が出来るものである。【００１５】    第９図は第５例で、部品交換の出来るスライド腕６を示すもので、スライド腕６の両端に先輪４０と後輪４を設け、先輪４０の先には掛端１９を設け、更に、掛合環５４を設けて、其の口をリングＢ３７で開閉して、掛合環５４内にウキやその他の部品の環を着脱出来る様にしたもので、後輪４１の先を延ばして引き端４２を設け、これに螺旋部３９で少し堅嵌めに着合させ、其の先に着合環４３を設けて、着合環４３を着合するウキの形状に合わせた形状して、左右に移動して着合したウキの端を固定する様にしたもので、必要とする他の部品を交換する事の出来るものである。【００１６】  第１０図は第６例で、天秤本体３の両端に���輪４０と後輪４１を設けた後、前輪４０の先には前戻り端４６を設け、後輪４１の先に後戻り端４７を設けて、両戻り端４５・４７を固定リング２６で着合したもので、此の固定リング２６を外して前戻り端４５に必要の大きさの、引き通しのオモリを付け外し出来る様にしたものである。前輪４０には掛穴部品Ｂ５５を着設して有り、其の端に掛合穴２０を設けたもの、他の部品の掛端１９に掛けて、並設して投入出来る様にしたもので、この例では掛穴部品Ａ５３は前輪４０に着定されていて、道糸は後輪４１に付けて使用されるもので、副部品専用で、主に自重で或いは小さいオモリを付けて、仕掛けをタナ迄沈降させる為に使用されるもので、スライド腕６は省略されている。【００１７】  第１１図は第７例で、ウキとコマセカゴを並設して一緒に投入する例を示すもので、コマセゴの上部のネジ部品３５のネジ環３３に、元環１３で着合する掛穴部品５３Ａを設け、この先に掛合穴２０を設けて、これをウキ１２の先端に設けた掛端１９に掛けて、図の様に並設して投入する。投入加速時には図の状態で矢印方向え進み、道糸７を離した時点で、移動子６だけが後端４に移動して、道糸７を引く状態に変わる、ウキは着水すると水面に立ち、カゴはこの状態で、掛合部品Ａ５３がウキ１２の掛端１９より外れ沈降する、この時移動子６は前端１に戻り、サルカンＡがカゴ環５０に掛かり、カゴが道糸７を引きつつ沈降して、ウキ止めが道糸環１０に掛かる事でカゴの沈行が止まり、天秤枝８が下方に下がり、カゴの蓋２２が開き、コマセが出て散るものであ。【００１８】  コマセカゴ２１は、ネジ部品３５に、引き通しオモリの穴、天秤の基部１４の穴、カゴの蓋２１に設けた穴の順に通し、ネジ部品３５の先端を、カゴ２１の縁に設けた長ナツト５６に着合して、ネジ頭を回して、カゴのオモリ３６と蓋２２と天秤の付いた着合部分の隙間を調整する事により、蓋２２の空き具合を決める事が出来る。カゴの口の縁には切れ込み２３が設けられていて、天秤枝８の中間部位と、餌の付いた針のハリスを着納される。仕掛けを吊り下げた時は、カゴオモリ３６と天秤子８により、蓋２２が押さえられている、この状態は飛行中は空圧で、沈降中は水圧で保持される。【００１９】  第６例と同様で、此の例のカゴは副部品専用で有る為、スライド腕１５と移動子６は無く、後部にカゴ環５０又は、後輪４１が設けられていて、これに道糸７を通して使うもので、サルカンＡとＢでスライド腕１５に代わる機能を持たせたもので有る。
第１４図は掛穴部品５５Ｂを示すもので、元環９がリング４８Ｃを外す事により開ける事が出来きて付替え交換を可能にしたもので、移動子１５として、又、掛穴部品５５して使用する。
【符号の説明】
【００２０】１    前端        ２    オモリ        ３    天秤本体      ４    後端
５    代用移動子  ６    スライド腕    ７    道糸          ８    天秤枝
９    先環        １０  道糸環        １１  ウキのオモリ  １２  ウキ
１３  元環        １４  基部          １５  移動子        １６  扁平部
１７  裏溝        １８  ハリス        １９  掛端          ２０  掛合穴
２１  コマセカゴ  ２２  蓋            ２３  切れ込み      ２４  翼ＡＢ【０００２１】２５  サルカンＢ  ２６  固定リング    ２７  先端部位      ２８  止軸
２９  止          ３０  リングＡ      ３１  垂直翼        ３２  立翼
３３  ネジ環      ３４  螺旋部        ３５  ネジ部品      ３６  カゴオモリ
３７  リングＢ    ３８  ネジ端        ３９  螺旋部        ４０  前輪
４１  後輪        ４２  引端          ４３  着合環        ４４  端
４５  天秤オモリ  ４６  前戻端        ４７  後戻端        ４８  リングＣ
４９  中糸        ５０  カゴ環        ５１  サルカンＡ    ５２  リングＤ
５３  掛穴部品Ａ  ５４  掛合環        ５５  掛穴部品Ｂ    ５６  長ナツト
【図１】
0003216110.tif 000003
【図２】
0003216110.tif 000004
【図３】
0003216110.tif 000005
【図４】
0003216110.tif 000006
【図５】
0003216110.tif 000007
【図６】
0003216110.tif 000008
【図７】
0003216110.tif 000009
【図８】
0003216110.tif 000010
【図９】
0003216110.tif 000011
【図１０】
0003216110.tif 000012
【図１１】
0003216110.tif 000013
【図１２】
0003216110.tif 000014
【手続補正書】
【提出日】平成30年1月23日(2018.1.23)
【手続補正１】
【補正対象書類名】実用新案登録請求の範囲
【補正対象項目名】全文
【補正方法】変更
【補正の内容】
【実用新案登録請求の範囲】
【請求項１】
ウキや天秤・オモリの本体の片側に平行して延びて、其の両端を折り返して先端１と後端４を形成した後、その端を本体の前後の端に着合したスライド腕６を設け、このスライド腕６に元環１３で着合して、先端１と後端４の間を移動出来て、その端に道糸環１０を設けた移動子１５を設け、移動子１５が投入加速時に、先端１にて本体を引航した後、後端４に移動して、本体に道糸を引航させて、本体を単体で、或いは本体の先に設けた掛端１９に、副本体に設けた掛合穴２０を掛けて、並設した複数の部品本体を、反転や動揺が無く、進行方向に安定して飛行する様にした仕掛け。
【請求項２】
オモリを扁平に設け、その裏側に平行したスライド腕６を設け、天秤枝８をオモリ２に対して直立して設け、オモリ２を水平翼とし天秤枝８を直立翼の代用として、飛行時に空気に浮く効果を持たせ、着水後も進行うし、着底時に天秤が直立する様にした請求項１の仕掛け。
【請求項３】
ウキ本体に翼２４を付け、尾部に垂直翼３１を設け、投入時に空中で滑空して飛行する様にした請求項１〜２の何れか一項に記載の仕掛け。
【請求項４】
移動子１５の元環１３が着合したスライド腕６の両端に、先に前輪４０を、後ろに後輪４１を形成して折り返し、前戻り端４６と後戻り端４７を設け、その両端を重ねて固定する着脱できる固定リング２６を設け、後戻り端４７の端で、固定リング２６に固定される部分の先を直曲して伸ばして、先端に先環９を付けた天秤枝８を設け、固定リング２６を外した時、前戻り端４６に引き通しウキやオモリを着脱出来る様に構成した請求項１〜３の何れか一項に記載の仕掛け。
【請求項５】
前輪４０と後輪４１を持つスライド腕６の、前輪４０の近くに、他の部品の先端の環を着脱する掛合環５４を設け、後輪４１の先に引端４２を設けてこれに螺旋部３９で着合する着合環４３を設け、螺旋部３９を前後にライドして、掛合環５４にて着合した部品の端４４を固定出来て、部品を着脱し交換出来る様にした請求項１〜３の何れか１項に記載の仕掛け。
【請求項６】
主部品の前部位に、前向きに延びる掛端１９を設け、これに掛ける掛合穴２０を副部品の先端に設け、掛端１９に掛合穴２０を掛けて、複数の部品を並設して一緒に投入できる様にした請求項１〜５の何れか１項の記載の仕掛け。
【請求項７】
コマセカゴ等の副部品の前部位に着合し、その端に掛合穴２０を設けた掛穴部品５３Ａを設け、掛合穴２０を主部品の掛端１９に掛けて並設して仕掛けを投入した時に、主部品が道糸のサルカン５１Ｂに引かれて副部品と共に前方に引かれて進行し、その後、副部品が主部品の掛端１９より離脱して、副部品が其の後部位に設けた環５０にハリスのサルカン２５Ｂが掛かり、道糸を引く状態に変り、主副両部品ともに進行方向に安定して飛行する様にした請求項１〜５の何れか１項の記載の仕掛け。